(57)【要約】【課題】放電灯点灯装置が有するパラメータの設定を容易に行うことが可能な放電灯点灯装置を提供する。【解決手段】放電灯ＦＬへ供給する電力を制御して放電灯ＦＬを点灯させる点灯回路と、放電灯ＦＬのフィラメントＦ１，Ｆ２あるいは前記フィラメントＦ１，Ｆ２への電力供給路の断線を検出する断線検出回路５１，５２と、所定のパラメータに基づいて点灯回路による負荷の点灯制御を行う制御手段６とを備え、前記断線検出回路５１，５２は、前記点灯回路の負荷として抵抗負荷が接続されたときに、前記パラメータを前記制御手段６へ設定する。抵抗負荷の抵抗値は、放電灯ＦＬのフィラメントＦ１，Ｆ２の抵抗値よりも大きく設定すると良い。【選択図】図１
2008123911.tif 000002
【特許請求の範囲】
【請求項１】
放電灯へ供給する電力を制御して放電灯を点灯させる点灯回路と、放電灯のフィラメントあるいは前記フィラメントへの電力供給路の断線を検出する断線検出回路と、所定のパラメータに基づいて点灯回路による負荷の点灯制御を行う制御手段とを備え、前記断線検出回路は、前記点灯回路の負荷として抵抗負荷が接続されたときに、前記パラメータを前記制御手段へ設定することを特徴とする放電灯点灯装置。
【請求項２】
抵抗負荷の抵抗値は、放電灯のフィラメントの抵抗値よりも大きいことを特徴とする請求項１記載の放電灯点灯装置。
【請求項３】
請求項１または２記載の放電灯点灯装置と、放電灯を装着するためのソケットと、この放電灯点灯装置を配設している照明器具本体とを具備していることを特徴とする照明器具。
【請求項４】
抵抗負荷と、抵抗負荷に流れる電流供給路を開閉するスイッチング手段とを備え、請求項１記載の放電灯点灯装置の負荷として接続して、前記スイッチング手段の開閉により放電灯点灯装置が有するパラメータを設定することを特徴とするパラメータ設定装置。
【発明の詳細な説明】
【技術分野】
【０００１】
本発明は、調光機能を有する放電灯点灯装置とこれを用いた照明器具およびそのパラメータ設定装置に関するものである。
【背景技術】
【０００２】
放電灯の経年変化による光出力の低下や長期間の使用に伴う汚れによる光出力の低下を補正するために、放電灯の交換後から放電灯の累積点灯時間を計時し、この累積点灯時間に基づいて調光比を増加させるよう動作する放電灯点灯装置および照明装置が知られている。このような放電灯点灯装置は、内部に累積点灯時間を計時する計時手段を備えている。また、放電灯を交換する毎に、累積点灯時間をリセットする必要がある。特開２００１−１５２７６号公報に開示された技術では、放電灯の寿命末期を検出して累積点灯時間を自動的にリセットしたり、あるいは累積点灯時間をスイッチや所定の手順による電源のＯＮ／ＯＦＦにより手動でリセットするものである。
【特許文献１】特開２００１−１５２７６号公報
【発明の開示】
【発明が解決しようとする課題】
【０００３】
累積点灯時間のような、放電灯点灯装置が有するパラメータを、外部から設定するための手段には、以下のような課題がある。
【０００４】
まず、寿命末期を検出して自動的に設定する手段では、放電灯が寿命に到達する前に、使用者が放電灯を交換する場合に、パラメータ設定が不可能である。
【０００５】
また、スイッチにより手動で設定する手段では、スイッチのようなパラメータ設定のための部品を必要とし、また設定を容易に行うためには、スイッチを照明器具から露出させておく必要があるため、照明器具を加工したり、専用の照明器具を用意する必要がある。
【０００６】
次に、電源ＯＮ／ＯＦＦにより手動で設定する手段では、パラメータを設定したい放電灯点灯装置と電源系統を共通にする他の放電灯点灯装置も同時に電源をＯＮ／ＯＦＦされるので、同一の電源系統にある照明器具全てが一斉に点灯／消灯を繰り返し、そのような照明器具が配設されている照明環境に影響を及ぼすという課題がある。
【０００７】
本発明は、上述の課題を解決するためになされたものであり、放電灯点灯装置が有するパラメータの設定を容易に行うことが可能な放電灯点灯装置およびそのパラメータ設定装置を提供することを目的とする。
【課題を解決するための手段】
【０００８】
請求項１の発明は、上記の課題を解決するために、図１に示すように、放電灯ＦＬへ供給する電力を制御して放電灯ＦＬを点灯させる点灯回路と、放電灯ＦＬのフィラメントＦ１，Ｆ２あるいは前記フィラメントＦ１，Ｆ２への電力供給路の断線を検出する断線検出回路５１，５２と、所定のパラメータに基づいて点灯回路による負荷の点灯制御を行う制御手段６とを備え、前記断線検出回路５１，５２は、前記点灯回路の負荷として抵抗負荷ＦＧ（図７参照）が接続されたときに、前記パラメータを前記制御手段６へ設定することを特徴とするものである。
【０００９】
請求項２の発明は、請求項１の発明において、抵抗負荷ＦＧの抵抗値は、放電灯ＦＬのフィラメントＦ１，Ｆ２の抵抗値よりも大きいことを特徴とする。
【００１０】
請求項３の発明は、図６に示すように、請求項１または２記載の放電灯点灯装置１と、放電灯ＦＬを装着するためのソケットＳ１，Ｓ２と、この放電灯点灯装置１を配設している照明器具本体ＫＧとを具備していることを特徴とする照明器具である。
【００１１】
請求項４の発明は、図１３に示すように、抵抗負荷ＦＧと、抵抗負荷に流れる電流供給路を開閉するスイッチング手段とを備え、請求項１記載の放電灯点灯装置の負荷として接続して、前記スイッチング手段の開閉により放電灯点灯装置が有するパラメータを設定することを特徴とするパラメータ設定装置である。
【発明の効果】
【００１２】
請求項１の発明によれば、放電灯への出力端子に専用の擬似的な抵抗負荷を接続することにより、放電灯点灯装置の断線検出機能を積極的に利用することで、パラメータを設定したい放電灯点灯装置のみを対象として、使用者が手動で意図的にパラメータを設定することが容易に可能であり、他の放電灯点灯装置の動作に影響を及ぼすことなく、あるいは放電灯点灯装置にスイッチを設けたりすることなく安価に行うことが可能になる。
【００１３】
請求項２の発明によれば、この方式で用いる抵抗負荷の抵抗値が、点灯回路の負荷である放電灯のフィラメントの抵抗値よりも大きいので、断線検出回路の出力によって、両者を判別することが可能となり、抵抗負荷が接続されたことで、所定のパラメータの設定を行うことが可能となる。したがって、抵抗負荷が接続されるだけで、簡単かつ短時間に、パラメータの設定が可能になり、使用者の作業性が向上する。
【００１４】
請求項３の発明によれば、放電灯点灯装置のパラメータの設定を容易に行えるために、パラメータ設定のためのスイッチ等を具備するための専用の照明器具や照明器具の加工を必要とせず、放電灯を装着するソケットを介して、簡単にパラメータの設定を行える照明器具を実現できる。
【００１５】
請求項４の発明によれば、抵抗負荷が接続された状態で、スイッチング手段によって抵抗負荷に流れる電流を制御することにより、断線検出回路の出力を制御することが可能となる。従って、所定のスイッチング手段の変化を信号として制御手段へ伝達することが可能となるので、この信号を用いれば、１つのパラメータの設定だけでなく、複数のパラメータの設定を、簡単かつ短時間に行うことも可能になる。
【発明を実施するための最良の形態】
【００１６】
（実施形態１）
本発明の第１の実施形態について説明する。本実施形態では、従来技術で示した、累積点灯時間に応じて放電灯の光出力を上げていく種類の放電灯点灯装置を示す。ここでは、従来技術における放電灯の累積点灯時間がパラメータであり、これをリセットする（０にする）ことがパラメータの設定に該当する。
【００１７】
図１は放電灯点灯装置の回路図であり、図２は累積点灯時間に対する放電灯の光出力の変化と放電灯の調光比の変化を示す。図２に示すように、放電灯の光出力は累積点灯時間に応じて減退するので、これを補うように放電灯の調光比を上げていくことで、放電灯の光出力を累積点灯時間によらず略一定にする。このような放電灯点灯装置では、内部に累積点灯時間の計時手段を備えており、この時間をデータテーブルや計算式に参照することで調光比を決定し、これに基づいて放電灯を調光点灯させる。そのため、放電灯を新品に交換した後は、光出力の低下に対する補正を最初から行う必要があるので、交換前の放電灯での累積点灯時間をリセットしなければならない。
【００１８】
図１において、放電灯点灯装置１は、整流平滑回路２、昇圧チョッパ回路３、インバータ回路４、高圧側断線検出回路５１、低圧側断線検出回路５２、制御回路６を有して構成されている。インバータ回路４は、電界効果トランジスタＱ１，Ｑ２を用いてハーフブリッジ形に構成されており、電界効果トランジスタＱ１，Ｑ２のそれぞれのゲートに接続される駆動回路４１によって、電界効果トランジスタＱ１，Ｑ２を交互にスイッチング動作させることで、所定の周波数の高周波電圧を出力する。制御回路６は、累積点灯時間を計時する計時手段６１、累積点灯時間を記憶するためのＥＥＰＲＯＭ等の不揮発性の記憶手段６２、マイクロコンピュータ等による制御部６３を有して構成されている。
【００１９】
放電灯点灯装置１は、商用電源Ｖが入力であり、負荷である放電灯への電力供給が出力である。整流平滑回路２は、商用電源Ｖの交流電圧を整流平滑して直流電圧に変換する。昇圧チョッパ回路３は、整流平滑回路２により変換された直流電圧を所定の電圧ＶDCに昇圧する。昇圧された直流電圧ＶDCは、インバータ回路４によって高周波電圧に変換される。インバータ回路４のハーフブリッジ回路の出力は、限流および共振用のインダクタＬ、直流成分カット用のコンデンサＣ１、始動および共振用コンデンサＣ２により構成される共振回路によって、放電灯点灯装置１の出力端子Ａ１，Ａ２，Ｂ１，Ｂ２に接続される放電灯に交流電力を供給する。ここでは、放電灯として蛍光灯ＦＬを使用し、蛍光灯ＦＬのフィラメントＦ１，Ｆ２間に交流電力を供給する。駆動回路４１は、制御部６３によって、蛍光灯ＦＬの予熱時、始動時、点灯時にそれぞれ所定の周波数で電界効果トランジスタＱ１，Ｑ２を交互にスイッチング動作させ、共振回路により決まる所定の電力を供給する。
【００２０】
制御回路６が有する制御部６３は、高圧側断線検出回路５１、低圧側断線検出回路５２の出力電圧を常に監視し、予め設定されている各々のしきい値に対する出力電圧の大小によって、蛍光灯ＦＬが出力端子Ａ１，Ａ２，Ｂ１，Ｂ２に接続されていない状態を検出した時には、インバータ回路４の駆動を停止する。また、蛍光灯ＦＬが接続された時には、制御部６３は、インバータ回路４の駆動を再開する。
【００２１】
高圧側断線検出回路５１は、例えば、図３（ａ）に示す回路によって構成される。制御部６３は、高圧側断線検出回路５１の出力電圧に対するしきい値ＶＨを持っており、出力電圧がしきい値ＶＨよりも小さい時は、出力端子Ａ１，Ａ２間が断線していると判断する。また、制御部６３は、インバータ回路４の駆動を停止している間のみ、高圧側断線検出回路５１の出力の監視を行う。これは、後述するが、インバータ回路４が動作している時は、図３（ａ）に示す回路では、出力端子Ａ１，Ａ２間の断線を検出することができないためである。ただし、後述の低圧側断線検出回路５２によって、放電灯点灯装置１の出力端子Ａ１，Ａ２，Ｂ１，Ｂ２に蛍光灯ＦＬが接続されているか否かを判断することは可能である。インバータ回路４の駆動を停止している時、出力端子Ａ１，Ａ２間に蛍光灯ＦＬのフィラメントＦ１が接続されている時は、ダイオードＤ３の電圧降下を０とみなすと、検出出力の電圧は、ツェナーダイオードＺＤ３の降伏電圧ＶZDとなる。出力端子Ａ１，Ａ２間にフィラメントＦ１が接続されていない時は、検出出力の電圧は０Ｖとなる。しきい値ＶＨは、両者のほぼ中間の値に設定されており、制御部６３は、高圧側断線検出回路５１の出力電圧がしきい値ＶＨより小さければ高圧側が断線していると判断して、インバータ回路４の駆動を停止し、しきい値ＶＨより大きければ高圧側の導通状態が正常であると判断して、インバータ回路４の駆動を開始する。
【００２２】
低圧側断線検出回路５２は、例えば、図３（ｂ）に示す回路によって構成される。制御部６３は、低圧側断線検出回路５２の出力電圧に対するしきい値ＶＬを持っており、出力電圧がしきい値ＶＬよりも大きい時は、出力端子Ｂ１，Ｂ２間が断線していると判断する。インバータ回路４が停止中の場合でも動作中の場合でも、出力端子Ｂ１，Ｂ２間に蛍光灯ＦＬのフィラメントＦ２が接続されていない時は、昇圧チョッパ回路３の出力電圧ＶDCを抵抗Ｒ４１，Ｒ４２，Ｒ４３によって分圧した抵抗Ｒ４３の両端電圧となる。出力端子Ｂ１，Ｂ２間にフィラメントＦ２が接続されている時は、抵抗Ｒ４２，Ｒ４３とフィラメントＦ２が並列接続になり、フィラメントＦ２の抵抗値は数Ωと極めて小さいために、抵抗Ｒ４３の両端電圧は、フィラメントＦ２が接続されていない時より低くなり、ほぼグランドレベルになる。しきい値ＶＬは、両者のほぼ中間の値に設定されており、制御部６３は、低圧側断線検出回路５２の出力電圧が、しきい値ＶＬより大きければ低圧側が断線していると判断して、インバータ回路４の駆動を停止し、しきい値ＶＬより小さければ低圧側の導通状態が正常であると判断して、インバータ回路４の駆動を開始する。
【００２３】
制御部６３は、インバータ回路４を駆動している時間を計時手段６１によって計時し、これを記憶手段６２に随時記憶させると共に、累積点灯時間に応じた調光比をデータテーブルや計算式を参照して取得し、インバータ回路４への制御信号を調節している。商用電源Ｖが入力された直後は、制御部６３は、記憶手段６２から累積点灯時間を取得し、その値から計時手段６１による計時を再開する。
【００２４】
蛍光灯ＦＬを新品に交換する場合に、累積点灯時間をリセットするためには、まず、放電灯点灯装置１の出力端子Ａ１，Ａ２，Ｂ１，Ｂ２から蛍光灯ＦＬを外す。この時、低圧側断線検出回路５２によって蛍光灯ＦＬの非接続を検出し、制御部６３はインバータ回路４の駆動を停止する。
【００２５】
その後、放電灯点灯装置１の出力端子Ａ１，Ａ２間、あるいはＢ１，Ｂ２間に抵抗負荷ＦＧを接続し、その後、抵抗負荷ＦＧを外す。この抵抗負荷ＦＧの着脱行為を所定回数だけ繰り返す。出力端子Ａ１，Ａ２で抵抗負荷ＦＧの着脱を行った場合は、図４のように、高圧側断線検出回路５１の出力電圧が、制御部６３が有するしきい値ＶＨを跨いで上下する。出力端子Ｂ１，Ｂ２で抵抗負荷ＦＧの着脱を行った場合は、図５のように、低圧側断線検出回路５２の出力電圧が、制御部６３が有するしきい値ＶＬを跨いで上下する。この時、抵抗負荷ＦＧの着脱をしていない他方の出力端子間には、何も接続しないので、抵抗負荷ＦＧの着脱行為をしている間は、制御部６３は、高圧側断線検出回路５１あるいは低圧側断線検出回路５２の出力電圧によって断線状態を検出しており、インバータ回路４を停止している。
【００２６】
制御部６３は、インバータ回路４を停止中に、高圧側断線検出回路５１の出力電圧がしきい値ＶＨを超える回数が所定回数以上になった時、あるいは低圧側断線検出回路５２の出力電圧がしきい値ＶＬを超える回数が所定回数以上になった時に、累積点灯時間をリセットし、記憶手段６２に記憶させる。図４、図５では所定回数を３回として示している。
【００２７】
その後、抵抗負荷ＦＧを外し、出力端子Ａ１，Ａ２，Ｂ１，Ｂ２に新品の蛍光灯ＦＬを接続する。この時、高圧側断線検出回路５１の出力電圧は、しきい値ＶＨより大きくなり、低圧側断線検出回路５２の出力電圧は、しきい値ＶＬより低くなるので、制御部６３はインバータ回路４の駆動を開始する。この時、制御部６３は、高圧側断線検出回路５１の出力電圧がしきい値ＶＨを超える回数、あるいは低圧側断線検出回路５２の出力電圧がしきい値ＶＬを超える回数のカウント値をリセットする。
【００２８】
計時手段６１による累積点灯時間の計時も開始するが、累積点灯時間はリセットされているので、初期値からの計時となる。
【００２９】
本実施形態で示した放電灯点灯装置は、図６に示す外観図のように、照明器具に具備される。図６において、照明器具本体ＫＧは、反射面を有するカバーＣＶが配設され、その両端に一対のランプソケットＳ１、Ｓ２が設けられている。また、照明器具本体ＫＧは、カバーＣＶ内に前述の放電灯点灯装置１を配設している。放電灯点灯装置１の出力端子Ａ１，Ａ２は、ランプソケットＳ１に、出力端子Ｂ１，Ｂ２は、ランプソケットＳ２に接続される。蛍光灯ＦＬはランプソケットＳ１，Ｓ２に装着することで、放電灯点灯装置１の出力端子と蛍光灯ＦＬが接続される。
【００３０】
このような照明器具に具備される放電灯点灯装置１に対して、累積点灯時間をリセットすることになる。よって、抵抗負荷ＦＧは、図７に示すように、蛍光灯ＦＬの管端と同形状の設定装置として構成されていることが望ましい。使用者は、ランプソケットＳ１，Ｓ２から蛍光灯ＦＬを外した後、図７に示す設定装置をランプソケットＳ１あるいはＳ２へ所定回数以上着脱することで、累積点灯時間をリセットする。その後、新品の蛍光灯ＦＬをランプソケットＳ１，Ｓ２に装着する。
【００３１】
本実施形態において、高圧側断線検出回路によるパラメータ設定の内容と、低圧側断線検出回路によるパラメータ設定の内容を分けることも、制御部によって実現することは容易に可能である。本実施形態における説明は、放電灯点灯装置の有するパラメータの設定手段について、一例でもって示したものである。
【００３２】
（実施形態２）
図８により本発明の第２の実施形態について説明する。第１の実施形態と同じ構成要素であるので、図１の構成を前提として説明する。本実施形態でも、第１の実施形態と同じく、累積点灯時間に応じて放電灯の光出力を上げていく種類の放電灯点灯装置を示す。
【００３３】
制御部６３は、第１の実施形態で示した、低圧側断線検出回路５２の出力電圧に対するしきい値ＶＬの他に、しきい値ＶＬ２を持っている。このしきい値ＶＬ２は、放電灯点灯装置１の出力端子Ｂ１，Ｂ２にフィラメントＦ２が接続されている時の低圧側断線検出回路５２の出力電圧（ほぼグランドレベル）と、しきい値ＶＬの間に設定されており、出力端子Ｂ１，Ｂ２に抵抗負荷ＦＧを接続した時に、低圧側断線検出回路５２の出力電圧が、しきい値ＶＬ２より大きく、しきい値ＶＬより小さくなるように設定されている。制御部６３は、低圧側断線検出回路５２の出力電圧がしきい値ＶＬ２より小さければ、インバータ回路４の駆動を開始し、しきい値ＶＬ２より大きければ、インバータ回路４の駆動を停止する。
【００３４】
第１の実施形態と同様に、累積点灯時間をリセットするために、放電灯点灯装置１の出力端子Ａ１，Ａ２，Ｂ１，Ｂ２から蛍光灯ＦＬを外すと、低圧側断線検出回路５２の出力電圧は、制御部６３が有するしきい値ＶＬより大きくなり、制御部６３はインバータ回路４の駆動を停止する。その後、放電灯点灯装置１の出力端子Ｂ１，Ｂ２間に抵抗負荷ＦＧを接続すると、図８のように、低圧側断線検出回路５２の出力電圧が、制御部６３が有するしきい値ＶＬ２より大きく、しきい値ＶＬより小さい値になる。制御部６３は、この出力電圧によって、出力端子Ｂ１，Ｂ２にフィラメントＦ２が接続されている状態でも、出力端子Ｂ１，Ｂ２にフィラメントＦ２が接続されていない状態でもなく、抵抗負荷ＦＧが接続された状態であることを明確に区別することができる。
【００３５】
制御部６３は、インバータ回路４を停止中に、低圧側断線検出回路５２の出力電圧がしきい値ＶＬ２より大きく、しきい値ＶＬより小さくなった時に、累積点灯時間をリセットし、記憶手段６２に記憶させる。
【００３６】
その後、抵抗負荷ＦＧを外すと、再び、低圧側断線検出回路５２の出力電圧は、しきい値ＶＬより大きくなる。最後に、出力端子Ａ１，Ａ２，Ｂ１，Ｂ２に新品の蛍光灯ＦＬを接続すると、高圧側断線検出回路５１の出力電圧は、しきい値ＶＨより大きくなり、低圧側断線検出回路５２の出力電圧は、しきい値ＶＬ２より低くなるので、制御部６３はインバータ回路４の駆動を開始する。
【００３７】
本実施形態によれば、前述の累積点灯時間のリセットのようなパラメータの設定動作を、第１の実施形態よりも簡単かつ短時間で行うことが可能になり、使用者の作業性が向上する。
【００３８】
（実施形態３）
図９により本発明の第３の実施形態について説明する。本発明によれば、放電灯点灯装置の有するパラメータを設定する動作は、累積点灯時間のリセットに限らず、マイクロコンピュータ等による制御部でどのように判断するかによって、何にでも応用できる。
【００３９】
第１の実施形態で示した放電灯点灯装置１は、累積点灯時間に応じた調光比の推移をするものであり、図２で示したように、初期の調光比の設定は７０％で固定されているが、図９に示すように、６０％、８０％にも設定可能であるならば、初期調光比をパラメータとして、前述の手段で設定することが可能である。例えば、第１の実施形態における抵抗負荷ＦＧの着脱行為の回数を、３回であれば初期調光比を７０％に設定、４回であれば初期調光比を８０％に設定、５回であれば初期調光比を６０％に設定、６回以上であれば初期調光比は現状値を維持するようにすれば、簡単に実現することが可能である。当然ながら、２回以下の場合も初期調光比は現状値を維持する。
【００４０】
（実施形態４）
図１０により本発明の第４の実施形態について説明する。第１の実施形態で示した放電灯点灯装置１は、累積点灯時間に応じた調光比の推移をするものであり、図２で示したように、初期の調光比を７０％とした時の調光比１００％に到達する時間は１２０００時間で固定されている。つまり、調光比を０．１％上げる単位を４０時間としているということになる。これが、図１０に示すように、３０時間単位、５０時間単位にも設定可能であるならば、単位時間をパラメータとして、第３の実施形態と同様の手段で設定することが可能である。第３の実施形態と同様で、抵抗負荷ＦＧの着脱行為の回数を、３回であれば単位時間を４０時間に設定、４回であれば単位時間を３０時間に設定、５回であれば単位時間を５０時間に設定、６回以上であれば単位時間は現状値を維持するようにすれば、簡単に実現することが可能である。当然ながら、２回以下の場合も単位時間は現状値を維持する。
【００４１】
（実施形態５）
図１１、図１２により本発明の第５の実施形態について説明する。第２の実施形態で示した放電灯点灯装置１は、図８で示したように、１回の抵抗負荷の装着で、パラメータの設定を行うことができ、作業性が向上している。これを用いて、パラメータの設定値の切り替えを行う。
【００４２】
例えば、第１の実施形態で示した放電灯点灯装置は、累積点灯時間に応じて放電灯の光出力を上げていく、いわゆる照度補正機能を有するものであるが、この機能の使用選択をパラメータとすることも可能である。図１１のように、第２の実施形態で示した抵抗負荷の装着により、制御部６３が有するパラメータである照度補正機能の使用選択が有効に設定されていたものが無効に切り替わる。再度、抵抗負荷の装着をすれば、再び無効に切り替わる。ここで、照度補正機能が無効である場合は、調光比が１００％で累積点灯時間に関係なく固定されるようになるよう、制御部６３がインバータ回路４を駆動すればよい。
【００４３】
当然ながら、第３ないし第４の実施形態に応用することも容易に可能である。第３の実施形態で示した初期調光比をパラメータとした場合、図１２のように、抵抗負荷の装着により、制御部６３が有するパラメータである初期調光比を７０％、６０％、８０％と順番に繰り返すようにすればよい。
【００４４】
（実施形態６）
図１３〜図１５により本発明の第６の実施形態について説明する。本実施形態は、第１の実施形態の放電灯点灯装置における、累積点灯時間のリセットのための抵抗負荷の着脱行為を自動化するパラメータ設定装置について説明する。
【００４５】
図１３はパラメータ設定装置の回路図であり、図１４はそのブロック図を兼ねた外形図である。図１３において、パラメータ設定装置ＤＳは、主として、抵抗負荷ＦＧ、マイクロコンピュータである制御部ＭＰＵ、押ボタン式スイッチＳＷ、フォトカプラＰＣ８、トランジスタＱ８、電池である直流電源Ｖ８を有して構成されている。
【００４６】
トランジスタＱ８がオンすると、フォトカプラＰＣ８がオンし、端子Ｃ１，Ｃ２間には抵抗負荷ＦＧが接続された状態になる。トランジスタＱ８がオフすると、フォトカプラＰＣ８がオフし、端子Ｃ１，Ｃ２間は断線状態になる。マイクロコンピュータＭＰＵは、押ボタン式スイッチＳＷが押されたことを検出したら、図１５に示す電圧をトランジスタＱ８のベースに出力し、トランジスタＱ８をオンオフすることで、端子Ｃ１，Ｃ２間に抵抗負荷ＦＧを接続、非接続状態にする。電池Ｖ８とスイッチＳＷを除く部品を１つの回路基板１０１に搭載すれば、図１４のような構成になり、外形もコンパクトにすることができる。
【００４７】
第１の実施形態において、累積点灯時間をリセットするために、放電灯点灯装置１の出力端子Ａ１，Ａ２，Ｂ１，Ｂ２から蛍光灯ＦＬを外して、制御部６３がインバータ回路４の駆動を停止した後、放電灯点灯装置１の出力端子Ａ１，Ａ２間に前述のパラメータ設定装置ＤＳを接続する。そして、押ボタン式スイッチＳＷを押すことにより、抵抗負荷ＦＧの着脱行為が、自動で所定回数だけ繰り返される。制御部６３は、図１５のように、高圧側断線検出回路５１の出力電圧がしきい値ＶＨを超える回数が所定回数以上になるので、累積点灯時間をリセットし、記憶手段６２に記憶させる。
【００４８】
（実施形態７）
図１６により本発明の第７の実施形態について説明する。本実施形態は、第６の実施形態における、抵抗負荷ＦＧの接続／非接続による、高圧側断線検出回路あるいは低圧側断線検出回路の出力電圧の変化を設定信号とすることで、パラメータとその設定値を複数にした場合でも、パラメータの設定動作を容易に行うことを可能としたものである。
【００４９】
図１６のように、２バイトデータを取り扱う非同期式のフォーマットの信号を、パラメータ設定装置ＤＳの制御部ＭＰＵが送信し、放電灯点灯装置１の制御回路６が有する制御部６３が受信できるように、互いに設定されておれば、初めの１バイトデータをパラメータ種別とし、後の１バイトデータをそのパラメータに設定する値とすればよい。
【００５０】
図１６において、信号フォーマットは、スタートビットＳＴの後、データを下位ビットＤ０から順次Ｄ７まで送出し、パリティビットＰ、ストップビットＳＰまでを１フレームとした構成であり、制御部ＭＰＵが、これを２バイトデータ分、送信している。制御部６３は、最初のスタートビットＳＴを受信すると、これに続くデータを順次受信し、ストップビットＳＰを受信した時点で、１バイトデータであるパラメータ種別を受信したことになる。後の１フレームもスタートビットＳＴから順次受信し、ストップビットＳＰを受信した時点で、１バイトデータであるパラメータ設定値を受信したことになる。
【００５１】
制御部６３は、信号によって指定されたパラメータに前記設定値を設定する。例えば、パラメータである累積点灯時間を５５（ｈｅｘ）とすれば、累積点灯時間のリセットは設定値に０（ｈｅｘ）を付せばよく、図１６で示した信号によって、累積点灯時間のリセットが可能になる。
【００５２】
制御部６３や制御部ＭＰＵは、マイクロコンピュータで構成されているので、非同期式通信を行うことが可能なポートを有するマイクロコンピュータを用いれば、マイクロコンピュータで信号フォーマットや信号データ長を設定することで、このような信号の送受信を容易に行うことができる。
【００５３】
第１ないし第５の実施形態では、抵抗負荷によって設定できるパラメータが、累積点灯時間や初期調光比というように予め制御部で決まっており、また、その設定値も１つあるいは数個から選択するものであったが、本実施形態によれば、使用者がパラメータを指定し、これに対して値を直接設定することが可能になる。
【００５４】
前述の累積点灯時間だけでなく、第３の実施形態のパラメータである初期調光比の種別をＡＡ（ｈｅｘ）とすれば、初期調光比の設定値は６０（ｈｅｘ）、７０（ｈｅｘ）、８０（ｈｅｘ）のいずれかを付せばよい。
【００５５】
また、第４の実施形態のパラメータである単位時間の種別をＦＦ（ｈｅｘ）とすれば、単位時間の設定値は３０（ｈｅｘ）、４０（ｈｅｘ）、５０（ｈｅｘ）のいずれかを付せばよい。
【００５６】
また、第５の実施形態のパラメータである照度補正機能の使用選択の種別を００（ｈｅｘ）とすれば、照度補正機能有効を００（ｈｅｘ）、無効をＦＦ（ｈｅｘ）とするよう、制御部との間で取り決めておけばよい。
【００５７】
さらに、前述までの実施形態で示したような、照度補正機能に関するパラメータだけでなく、放電灯点灯装置の性能に関するパラメータの設定ができるようにしてもよい。例えば、放電灯点灯装置の点灯シーケンスの調整を可能にする場合、フィラメントの予熱時間、蛍光灯の始動時間を設定できるようにしてもよい。
【００５８】
本実施形態によれば、１バイトデータによるパラメータの指定と、１バイトデータの設定値の組み合わせである場合、２５６種類のパラメータに対して、０から２５５までの値を設定できる。もちろん、パラメータ種別や設定値を２バイトデータ以上にしても同様であって問題ない。
【００５９】
パラメータやその設定値が複数になって、パラメータ設定装置ＤＳの構成が複雑になる場合は、設定動作をスイッチではなく、リモコン等の別置の設定器を用いて行うことができるよう、パラメータ設定装置ＤＳを加工すればよく、容易に実現することが可能である。
【００６０】
本実施形態によれば、前述の累積点灯時間に限らず、複数のパラメータの設定動作を、簡単かつ短時間で行うことが可能になる。
【図面の簡単な説明】
【００６１】
【図１】本発明の実施形態１の構成を示す回路図である。
【図２】本発明の実施形態１による照度補正動作の説明図である。
【図３】本発明の実施形態１に用いる高圧側と低圧側の断線検出回路の構成を示す回路図である。
【図４】本発明の実施形態１の高圧側断線検出回路によるリセット動作の説明図である。
【図５】本発明の実施形態１の低圧側断線検出回路によるリセット動作の説明図である。
【図６】本発明の実施形態１の放電灯点灯装置を搭載した照明器具の概略構成図である。
【図７】本発明の実施形態１の抵抗負荷の概略構成図である。
【図８】本発明の実施形態２の動作説明図である。
【図９】本発明の実施形態３の動作説明図である。
【図１０】本発明の実施形態４の動作説明図である。
【図１１】本発明の実施形態５の動作説明図である。
【図１２】本発明の実施形態５の動作説明図である。
【図１３】本発明の実施形態６のパラメータ設定装置の回路図である。
【図１４】本発明の実施形態６のパラメータ設定装置の概略構成図である。
【図１５】本発明の実施形態６のパラメータ設定装置の動作説明図である。
【図１６】本発明の実施形態７の動作説明図である。
【符号の説明】
【００６２】
ＦＬ  蛍光灯
Ｆ１  フィラメント
Ｆ２  フィラメント
１  放電灯点灯装置
４  インバータ回路
５１  高圧側断線検出回路
５２  低圧側断線検出回路
６  制御回路
【図１】
2008123911.tif 000003
【図２】
2008123911.tif 000004
【図３】
2008123911.tif 000005
【図４】
2008123911.tif 000006
【図５】
2008123911.tif 000007
【図６】
2008123911.tif 000008
【図７】
2008123911.tif 000009
【図８】
2008123911.tif 000010
【図９】
2008123911.tif 000011
【図１０】
2008123911.tif 000012
【図１１】
2008123911.tif 000013
【図１２】
2008123911.tif 000014
【図１３】
2008123911.tif 000015
【図１４】
2008123911.tif 000016
【図１５】
2008123911.tif 000017
【図１６】
2008123911.tif 000018